(57)【要約】【課題】レガシー音声信号で用いられている圧縮方式の拡張規格で圧縮されたロッシー音声信号のアナログ出力が可能な音声信号出力装置を提供する。【解決手段】ＨＤＭＩ接続時のＨＤＭＩトランスミッタ１３の接続先が、レガシー音声信号で用いられている圧縮方式の拡張規格で圧縮されたロッシー音声信号に対応しているＨＤＭＩ機器である場合、ＭＰＥＧデコーダ１１がＩＥＣ６０９５８に準拠したビットストリーム形式の出力をして、ＨＤＭＩ出力とし、ＨＤＭＩ接続時の前記ＨＤＭＩトランスミッタの接続先が、レガシー音声信号で用いられている圧縮方式の拡張規格で圧縮されたロッシー音声信号に対応していないＨＤＭＩ機器である場合、及び、ＨＤＭＩ未接続の場合のいずれにおいても、ＭＰＥＧデコーダ１１がＩＩＳフォーマットの出力をして、アナログ出力をする音声信号出力装置。【選択図】図１
2010161440.tif 000002
【特許請求の範囲】
【請求項１】
レガシー音声信号で用いられている圧縮方式の拡張規格で圧縮されたロッシー音声信号を、ＩＩＳフォーマット又はＩＥＣ６０９５８に準拠したビットストリーム形式で出力する集積回路と、
ＤＳＰと、
ＨＤＭＩ１．３規格以降のいずれかに対応しているＨＤＭＩトランスミッタと、
デジタル／アナログ変換部とを備える音声信号再生装置であって、
ＨＤＭＩ接続時の前記ＨＤＭＩトランスミッタの接続先が、レガシー音声信号で用いられている圧縮方式の拡張規格で圧縮されたロッシー音声信号に対応しているＨＤＭＩ機器である場合、前記集積回路が、レガシー音声信号で用いられている圧縮方式の拡張規格で圧縮されたロッシー音声信号を、ＩＥＣ６０９５８に準拠したビットストリーム形式で出力し、前記集積回路の出力信号が前記ＤＳＰを経由して前記ＨＤＭＩトランスミッタに送られ、
ＨＤＭＩ接続時の前記ＨＤＭＩトランスミッタの接続先が、レガシー音声信号で用いられている圧縮方式の拡張規格で圧縮されたロッシー音声信号に対応していないＨＤＭＩ機器である場合、及び、ＨＤＭＩ未接続の場合のいずれにおいても、前記集積回路が、レガシー音声信号で用いられている圧縮方式の拡張規格で圧縮されたロッシー音声信号を、ＩＩＳフォーマットで出力し、前記ＤＳＰが前記集積回路の出力信号をデコードし、前記デジタル／アナログ変換部が前記ＤＳＰによってデコードされた信号又はそれに基づく信号をデジタル／アナログ変換してアナログ出力することを特徴とする音声信号再生装置。
【請求項２】
ＨＤＭＩ接続時の前記ＨＤＭＩトランスミッタの接続先が、レガシー音声信号で用いられている圧縮方式の拡張規格で圧縮されたロッシー音声信号に対応しているＨＤＭＩ機器である場合であっても、
レガシー音声信号で用いられている圧縮方式の拡張規格で圧縮されたロッシー音声信号に対応しているＨＤＭＩ機器接続時のアナログ出力設定が有効であれば、
前記集積回路が、レガシー音声信号で用いられている圧縮方式の拡張規格で圧縮されたロッシー音声信号を、ＩＩＳフォーマットで出力し、前記ＤＳＰが前記集積回路の出力信号をデコードし、前記デジタル／アナログ変換部が前記ＤＳＰによってデコードされた信号又はそれに基づく信号をデジタル／アナログ変換してアナログ出力する請求項１に記載の音声信号出力装置。
【請求項３】
ＩＩＳフォーマットの音声信号を伝送する４線からなる伝送ラインが前記集積回路と前記ＤＳＰとの間に設けられ、
ＨＤＭＩ接続時の前記ＨＤＭＩトランスミッタの接続先が、レガシー音声信号で用いられている圧縮方式の拡張規格で圧縮されたロッシー音声信号に対応していないＨＤＭＩ機器である場合、及び、ＨＤＭＩ未接続の場合のいずれにおいても、前記集積回路が、レガシー音声信号で用いられている圧縮方式の拡張規格で圧縮されたロッシー音声信号をＩＩＳフォーマットで、前記４線からなる伝送ライン中の特定の１線に出力する請求項１又は請求項２に記載の音声信号出力装置。
【請求項４】
ＢＤ再生装置又はＢＤ記録再生装置である請求項１〜３のいずれか１項に記載の音声信号出力装置。
【発明の詳細な説明】
【技術分野】
【０００１】
本発明は、音声信号を外部に出力する音声信号出力装置に関する。
【背景技術】
【０００２】
音声信号出力装置の一例として、ここでは、音声信号とともに映像信号も出力するBlu-ray Disk（以下、ＢＤという）再生装置について説明する。従来のＢＤ再生装置の要部構成図を図４に示す。従来のＢＤ再生装置は、ＭＰＥＧ（Moving Picture Experts Group）デコーダ１０１と、ＤＳＰ（Digital Signal Processor）１０２と、ＨＤＭＩ（High-Definition Multimedia Interface）トランスミッタ１０３と、ＨＤＭＩコネクタ１０４と、ＳＰＤＩＦ（Sony Philips Digital Interface）コネクタ１０５と、デジタルアンプ１０６と、アナログ出力端子群１０７と、ＩＥＣ６０９５８に準拠した音声信号を伝送する伝送ライン（以下、ＩＥＣ６０９５８伝送ラインという）Ｌ１０１〜Ｌ１０３と、ＩＩＳ（Internet Information Server）フォーマットの音声信号を伝送する伝送ライン（以下、ＩＩＳ伝送ラインという）Ｌ１０４及びＬ１０５とを備えている。ＨＤＭＩトランスミッタ１０３は、ＨＤＭＩ１．３規格以降のいずれかに対応している。ＩＥＣ６０９５８伝送ラインＬ１０１〜Ｌ１０３はそれぞれ１線からなる伝送ラインであり、ＩＩＳ伝送ラインＬ１０４及びＬ１０５はそれぞれ４線からなる伝送ラインである。
【０００３】
ＢＤの音声規格は、リニアＰＣＭ（Pulse Code Modulation）、Dolby Digital（以下、ＤＤという）、ＤＴＳを必須でサポートしており、さらに、Dolby Digital Plus（以下、ＤＤ＋という）、Dolby TrueHD、DTS-HD High Resolution Audio（以下、DTS-HD HRAという）、DTS-HD Master Audio（以下、DTS-HD MAという）をオプションでサポートしている。
【０００４】
ＢＤから読み取ったレガシー音声信号（ＤＤ方式で圧縮された圧縮音声信号、又は、ＤＴＳ方式で圧縮された圧縮音声信号）をＭＰＥＧデコーダ１０１で処理する場合、ＭＰＥＧデコーダ１０１は、レガシー音声信号をＩＥＣ６０９５８に準拠したビットストリーム形式で出力する。
【０００５】
ＭＰＥＧデコーダ１０１から出力されるレガシー音声信号を、ＩＥＣ６０９５８伝送ラインＬ１０１を経由してＤＳＰ１０２に送り、ＤＳＰ１０２でリニアＰＣＭ信号に変換し、そのリニアＰＣＭ信号をデジタルアンプ１０６で増幅し、さらに、デジタルアンプ１０６内のＤＡＣ（Digital to Analog Converter）でアナログ音声信号に変換することによって、アナログ出力することが可能である。また、ＭＰＥＧデコーダ１０１から出力されるレガシー音声信号を、ＩＥＣ６０９５８伝送ラインＬ１０１、ＤＳＰ１０２、及びＩＥＣ６０９５８伝送ラインＬ１０２を経由してＳＰＤＩＦコネクタ１０５からそのまま外部出力すること、或いは、ＩＥＣ６０９５８伝送ラインＬ１０１を経由してＤＳＰ１０２に送り、ＤＳＰ１０２でリニアＰＣＭ信号に変換し、ＩＥＣ６０９５８伝送ラインＬ１０２を経由してＳＰＤＩＦコネクタ１０５から外部出力することも可能である。さらに、ＭＰＥＧデコーダ１０１から出力されるレガシー音声信号を、ＩＥＣ６０９５８伝送ラインＬ１０１、ＤＳＰ１０２、ＩＥＣ６０９５８伝送ラインＬ１０３、及びＨＤＭＩトランスミッタ１０３を経由してＨＤＭＩコネクタ１０４からそのまま外部出力すること、或いは、ＩＥＣ６０９５８伝送ラインＬ１０１を経由してＤＳＰ１０２に送り、ＤＳＰ１０２でリニアＰＣＭ信号に変換し、ＩＥＣ６０９５８伝送ラインＬ１０３及びＨＤＭＩトランスミッタ１０３を経由してＨＤＭＩコネクタ１０４から外部出力することも可能である。
【０００６】
一方、ＢＤから読み取ったロスレス音声信号（リニアＰＣＭ信号、Dolby TrueHD方式で圧縮された圧縮音声信号、又はDTS-HD MA方式で圧縮された圧縮音声信号）をＭＰＥＧデコーダ１０１で処理する場合、ＭＰＥＧデコーダ１０１は、ロスレス音声信号をＩＩＳフォーマットで出力する。
【０００７】
ＭＰＥＧデコーダ１０１から出力されるロスレス音声信号を、ＩＩＳ伝送ラインＬ１０４を経由してＤＳＰ１０２に送り、ＤＳＰ１０２でリニアＰＣＭ信号に変換し、そのリニアＰＣＭ信号をデジタルアンプ１０６で増幅し、さらに、デジタルアンプ１０６内のＤＡＣでアナログ音声信号に変換することによって、アナログ出力することが可能である（ただし、ロスレス音声信号がリニアＰＣＭ信号である場合はＤＳＰ１０２における変換処理は無い）。また、ＭＰＥＧデコーダ１０１から出力されるロスレス音声信号を、ＩＩＳ伝送ラインＬ１０４、ＤＳＰ１０２、ＩＩＳ伝送ラインＬ１０５、及びＨＤＭＩトランスミッタ１０３を経由してＨＤＭＩコネクタ１０４からそのまま外部出力すること、或いは、ＩＩＳ伝送ラインＬ１０４を経由してＤＳＰ１０２に送り、ＤＳＰ１０２でリニアＰＣＭ信号に変換し、ＩＩＳ伝送ラインＬ１０５及びＨＤＭＩトランスミッタ１０３を経由してＨＤＭＩコネクタ１０４から外部出力することも可能である。
【先行技術文献】
【特許文献】
【０００８】
【特許文献１】特開２００８−２２８００９号公報
【特許文献２】特開２００７−２５７７０１号公報
【特許文献３】特開２００８−２７１３５３号公報
【特許文献４】特開２００８−６１２５１号公報
【特許文献５】特開２００８−２８９５０号公報
【発明の概要】
【発明が解決しようとする課題】
【０００９】
ＢＤから読み取ったレガシー音声信号又はロスレス音声信号をＭＰＥＧデコーダ１０１で処理する場合、上述の通り、アナログ出力が可能である。
【００１０】
ところが、ＢＤから読み取った、レガシー音声信号で用いられている圧縮方式の拡張規格で圧縮されたロッシー音声信号（ＤＤ＋方式で圧縮された圧縮音声信号、又は、DTS-HD HRA方式で圧縮された圧縮音声信号。以下、拡張規格で圧縮されたロッシー音声信号という。）をＭＰＥＧデコーダ１０１で処理する場合、アナログ出力ができず、オーディオにこだわりがあってアナログ出力を好む一部のユーザの趣向に応じることができないという問題があった。
【００１１】
ＢＤから読み取った拡張規格で圧縮されたロッシー音声信号をＭＰＥＧデコーダ１０１で処理する場合、拡張規格で圧縮されたロッシー音声信号に対応しているＨＤＭＩ機器がＨＤＭＩケーブルを介してＨＤＭＩコネクタ１０４に接続されていれば、ＭＰＥＧデコーダ１０１は、拡張規格で圧縮されたロッシー音声信号をＩＥＣ６０９５８に準拠したビットストリーム形式で出力する。ＭＰＥＧデコーダ１０１から出力される拡張規格で圧縮されたロッシー音声信号は、ＩＥＣ６０９５８伝送ラインＬ１０１、ＤＳＰ１０２、ＩＥＣ６０９５８伝送ラインＬ１０３、及びＨＤＭＩトランスミッタ１０３を経由してＨＤＭＩコネクタ１０４からそのまま外部出力される。このとき、ＤＳＰ１０２は、拡張規格で圧縮されたロッシー音声信号に含まれるレガシー音声信号に相当する部分のデコードを行う。すなわち、ＤＳＰ１０２は、拡張規格で圧縮されたロッシー音声信号がＤＤ＋方式で圧縮された圧縮音声信号である場合、ＤＤ＋方式で圧縮された圧縮音声信号をＤＤ方式で圧縮された圧縮音声信号に変換し、ＩＥＣ６０９５８伝送ラインＬ１０２を経由してＳＰＤＩＦ端子１０５に出力し、拡張規格で圧縮されたロッシー音声信号がDTS-HD HRA方式で圧縮された圧縮音声信号である場合、DTS-HD HRA方式で圧縮された圧縮音声信号のコアストリームを取り出し、そのコアストリームを、ＩＥＣ６０９５８伝送ラインＬ１０２を経由してＳＰＤＩＦ端子１０５に出力する。
【００１２】
一方、ＢＤから読み取った拡張規格で圧縮されたロッシー音声信号をＭＰＥＧデコーダ１０１で処理する場合、拡張規格で圧縮されたロッシー音声信号に対応していないＨＤＭＩ機器がＨＤＭＩケーブルを介してＨＤＭＩコネクタ１０４に接続されていれば、音声信号を外部出力することができなかった。同様に、ＢＤから読み取った拡張規格で圧縮されたロッシー音声信号をＭＰＥＧデコーダ１０１で処理する場合、ＨＤＭＩ機器がＨＤＭＩケーブルを介してＨＤＭＩコネクタ１０４に接続されていなければ、音声信号を外部出力することができなかった。
【００１３】
なお、ＨＤＭＩ接続可能な音声信号出力装置が種々提案されているが（例えば特許文献１〜５）、拡張規格で圧縮されたロッシー音声信号のアナログ出力が可能なものはなかった。
【００１４】
本発明は、上記の状況に鑑み、拡張規格で圧縮されたロッシー音声信号のアナログ出力が可能な音声信号出力装置を提供することを目的とする。
【課題を解決するための手段】
【００１５】
上記目的を達成するために本発明に係る音声信号出力装置は、拡張規格で圧縮されたロッシー音声信号を、ＩＩＳフォーマット又はＩＥＣ６０９５８に準拠したビットストリーム形式で出力する集積回路と、ＤＳＰと、ＨＤＭＩ１．３規格以降のいずれかに対応しているＨＤＭＩトランスミッタと、デジタル／アナログ変換部とを備える音声信号再生装置であって、ＨＤＭＩ接続時の前記ＨＤＭＩトランスミッタの接続先が、拡張規格で圧縮されたロッシー音声信号に対応しているＨＤＭＩ機器である場合、前記集積回路が、拡張規格で圧縮されたロッシー音声信号を、ＩＥＣ６０９５８に準拠したビットストリーム形式で出力し、前記集積回路の出力信号が前記ＤＳＰを経由して前記ＨＤＭＩトランスミッタに送られ、ＨＤＭＩ接続時の前記ＨＤＭＩトランスミッタの接続先が、拡張規格で圧縮されたロッシー音声信号に対応していないＨＤＭＩ機器である場合、及び、ＨＤＭＩ未接続の場合のいずれにおいても、前記集積回路が、拡張規格で圧縮されたロッシー音声信号を、ＩＩＳフォーマットで出力し、前記ＤＳＰが前記集積回路の出力信号をデコードし、前記デジタル／アナログ変換部が前記ＤＳＰによってデコードされた信号又はそれに基づく信号をデジタル／アナログ変換してアナログ出力する構成としている。
【００１６】
また、上記構成の音声信号出力装置において、ＨＤＭＩ接続時の前記ＨＤＭＩトランスミッタの接続先が、拡張規格で圧縮されたロッシー音声信号に対応しているＨＤＭＩ機器である場合であっても、拡張規格で圧縮されたロッシー音声信号に対応しているＨＤＭＩ機器接続時のアナログ出力設定が有効であれば、前記集積回路が、拡張規格で圧縮されたロッシー音声信号を、ＩＩＳフォーマットで出力し、前記ＤＳＰが前記集積回路の出力信号をデコードし、前記デジタル／アナログ変換部が前記ＤＳＰによってデコードされた信号又はそれに基づく信号をデジタル／アナログ変換してアナログ出力するようにしてもよい。
【００１７】
また、上記いずれかの構成の音声信号出力装置において、ＩＩＳフォーマットの音声信号を伝送する４線からなる伝送ラインが前記集積回路と前記ＤＳＰとの間に設けられ、ＨＤＭＩ接続時の前記ＨＤＭＩトランスミッタの接続先が、拡張規格で圧縮されたロッシー音声信号に対応していないＨＤＭＩ機器である場合、及び、ＨＤＭＩ未接続の場合のいずれにおいても、前記集積回路が、拡張規格で圧縮されたロッシー音声信号をＩＩＳフォーマットで、前記４線からなる伝送ライン中の特定の１線に出力するようにすることが望ましい。
【００１８】
本発明に係る音声信号出力装置としては、例えば、ＢＤ再生装置やＢＤ記録再生装置が挙げられる。
【発明の効果】
【００１９】
本発明に係る音声信号出力装置によると、ＨＤＭＩ接続時のＨＤＭＩトランスミッタの接続先が、拡張規格で圧縮されたロッシー音声信号に対応していないＨＤＭＩ機器である場合、及び、ＨＤＭＩ未接続の場合のいずれにおいても、集積回路が、拡張規格で圧縮されたロッシー音声信号を、ＩＩＳフォーマットでＤＳＰに出力するので、拡張規格で圧縮されたロッシー音声信号のアナログ出力が可能になる。
【図面の簡単な説明】
【００２０】
【図１】は、本発明に係るＢＤ再生装置の概略構成例を示す図である。
【図２】は、本発明に係るＢＤ再生装置が備えるＭＰＥＧデコーダの動作フローチャートである。
【図３】は、本発明に係るＢＤ再生装置が備えるＭＰＥＧデコーダの他の動作フローチャートである。
【図４】は、従来のＢＤ再生装置の要部構成図である。
【発明を実施するための形態】
【００２１】
本発明の実施形態について図面を参照して以下に説明する。本発明に係る音声信号出力装置として、ここでは、音声信号とともに映像信号も出力するＢＤ再生装置を例に挙げて説明する。
【００２２】
本発明に係るＢＤ再生装置の概略構成例を図１に示す。スピンドルモータ１と、光ピックアップ２と、スレッドモータ３と、ＬＤドライバ４と、ＲＦ信号処理部５と、エラー信号生成部６と、サーボ処理部７と、アクチュエータドライバ８と、スレッドドライバ９と、システムコントローラ１０と、ＭＰＥＧデコーダ１１と、ＤＳＰ１２と、ＨＤＭＩトランスミッタ１３と、ＨＤＭＩコネクタ１４と、ＳＰＤＩＦコネクタ１５と、デジタルアンプ１６と、アナログ出力端子群１７と、リモコン受信部１８と、フラッシュメモリ１９と、ＩＥＣ６０９５８伝送ラインＬ１〜Ｌ３と、ＩＩＳ伝送ラインＬ４及びＬ５とを備えている。ＨＤＭＩトランスミッタ１３は、ＨＤＭＩ１．３規格以降のいずれかに対応している。ＩＥＣ６０９５８伝送ラインＬ１〜Ｌ３はそれぞれ１線からなる伝送ラインであり、ＩＩＳ伝送ラインＬ４及びＬ５はそれぞれ４線からなる伝送ラインである。
【００２３】
スピンドルモータ１は、ＢＤを回転させるモータである。
【００２４】
光ピックアップ２は、光源である青色レーザダイオードから出射される光ビームをＢＤ上の目標位置に対物レンズを用いて集光し、青色レーザダイオードから出射されてＢＤで反射された反射光を光学系（対物レンズを含む）を用いて光検出器に取り込む。光ピックアップ２内の光検出器は、受光した光をＲＦ信号及び光検出信号に変換し、ＲＦ信号をＲＦ信号処理部５に出力し、光検出信号をエラー信号生成部６に出力する。
【００２５】
スレッドモータ３は、光ピックアップ２をＢＤの半径方向に移動駆動する。ＬＤドライバ４は、光ピックアップ２内の青色レーザダイオードを駆動する。
【００２６】
ＲＦ信号処理部５は、光ピックアップ２内の光検出器から供給されるＲＦ信号に対して波形等化処理、２値化処理、復調処理、及び誤り訂正処理を施し、それらの処理が施されたＲＦ信号をＭＰＥＧデコーダ１１に出力する。また、ＲＦ信号処理部５は誤り訂正処理後のデータからアドレスを検出することも行い、検出したアドレスをシステムコントローラ１０に出力する。
【００２７】
エラー信号生成部６は、光ピックアップ２内の光検出器から供給される光検出信号に基づいてフォーカスエラー信号及びトラッキングエラー信号を生成し、その生成したフォーカスエラー信号及びトラッキングエラー信号をサーボ処理部７に出力する。
【００２８】
サーボ処理部７は、エラー信号生成部６から供給されたフォーカスエラー信号に基づいてフォーカス駆動信号を生成し、その生成したフォーカス駆動信号をアクチュエータドライバ８に出力する。そして、アクチュエータドライバ８はフォーカス駆動信号に基づき光ピックアップ２内のフォーカスアクチュエータを駆動する。これにより、フォーカスサーボが行われる。
【００２９】
また、サーボ処理部７は、エラー信号生成部６から供給されたトラッキングエラー信号に基づいてトラッキング駆動信号を生成し、その生成したトラッキング駆動信号をアクチュエータドライバ８に出力する。そして、アクチュエータドライバ８はトラッキング駆動信号に基づき光ピックアップ２内のトラッキングアクチュエータを駆動する。これにより、トラッキングサーボが行われる。
【００３０】
また、サーボ処理部７は、スレッド駆動信号を生成してスレッドドライバ９に出力し、スレッドドライバ９がスレッド駆動信号に基づきスレッドモータ３を駆動する。これにより、光ピックアップ２がＢＤの半径方向に移動制御される。
【００３１】
システムコントローラ１０は、マイコンで構成され各部を制御する。リモコン受信部１８は、不図示のリモコン送信機から送信された赤外線信号を受信し、ユーザのリモコン操作に応じたコード信号をシステムコントローラ１０に出力する。また、フラッシュメモリ１９は、システムコントローラ１０の制御により各種設定情報を記憶する。
【００３２】
ＭＰＥＧデコーダ１１は、ＲＦ信号処理部５から供給されるＲＦ信号を映像信号と音声信号に分離し、それぞれ別個に処理する。ＭＰＥＧデコーダ１１によって処理された映像信号は、ＨＤＭＩトランスミッタ１３に供給されＨＤＭＩコネクタ１４から外部出力される。ＭＰＥＧデコーダ１１によって処理された音声信号は、ＩＥＣ６０９５８に準拠したビットストリーム形式であればＩＥＣ６０９５８伝送ラインＬ１に出力され、ＩＩＳフォーマットであればＩＩＳ伝送ラインＬ４に出力される。
【００３３】
ＢＤから読み取ったレガシー音声信号をＭＰＥＧデコーダ１１で処理する場合、及び、ＢＤから読み取ったロスレス音声信号をＭＰＥＧデコーダ１１で処理する場合の動作については、従来のＢＤ再生装置と同様であるので、説明を省略する。
【００３４】
次に、ＢＤから読み取った拡張規格で圧縮されたロッシー音声信号をＭＰＥＧデコーダ１１で処理する場合の動作について、図１及び図２を参照して説明する。図２は、ＢＤから読み取った拡張規格で圧縮されたロッシー音声信号を処理する場合のＭＰＥＧデコーダ１１の動作フローチャートである。
【００３５】
ＢＤから読み取った拡張規格で圧縮されたロッシー音声信号を処理する場合、ＭＰＥＧデコーダ１１は、まず始めに、ＨＤＭＩコネクタ１４のＨＰＤ（Hot Plug Detect）ピンからＨＤＭＩトランスミッタ１３に供給されるホットプラグ検出信号に基づいて、ＨＤＭＩ機器がＨＤＭＩケーブルを介してＨＤＭＩコネクタ１４に接続されているか否かを判定する（ステップＳ１０）。
【００３６】
ＨＤＭＩ機器がＨＤＭＩケーブルを介してＨＤＭＩコネクタ１４に接続されていなければ（ステップＳ１０のＮＯ）、ＭＰＥＧデコーダ１１は、拡張規格で圧縮されたロッシー音声信号をＩＩＳフォーマットで、４線からなるＩＩＳ伝送ラインＬ４中の特定の１線に出力する（ステップＳ２０）。これにより、拡張規格で圧縮されたロッシー音声信号が、ＭＰＥＧデコーダ１１から４線からなるＩＩＳ伝送ラインＬ４中の特定の１線を経由してＤＳＰ１２に供給され、ＤＳＰ１２によって７．１ｃｈのリニアＰＣＭ信号に変換され、その７．１ｃｈのリニアＰＣＭ信号がデジタルアンプ１６によって増幅され、さらに、デジタルアンプ１６内のＤＡＣで７．１ｃｈのアナログ音声信号に変換されるので、アナログ出力することが可能となる。
【００３７】
一方、ＨＤＭＩ機器がＨＤＭＩケーブルを介してＨＤＭＩコネクタ１４に接続されていれば（ステップＳ１０のＹＥＳ）、ＭＰＥＧデコーダ１１は、ＩＩＣ（Inter Integrated Circuit）バス、ＨＤＭＩトランスミッタ１３、及びＨＤＭＩコネクタ１４のＤＤＣ（display data channel）端子を介して、ＨＤＭＩ機器に対してＥＤＩＤ（Extended Display Identification Data）を要求し、ＨＤＭＩコネクタ１４のＤＤＣ端子、ＨＤＭＩトランスミッタ１３、及びＩＩＣバスを介して、ＨＤＭＩ機器のＥＤＩＤを取得し（ステップＳ３０）、ステップＳ４０に移行する。
【００３８】
ステップＳ４０では、ＭＰＥＧデコーダ１１は、取得したＥＤＩＤに基づいて、ＨＤＭＩ機器が拡張規格で圧縮されたロッシー音声信号に対応している機器であるか否かを判定する。
【００３９】
ＨＤＭＩ機器が拡張規格で圧縮されたロッシー音声信号に対応している機器でなければ（ステップＳ４０のＮＯ）、ＭＰＥＧデコーダ１１は、拡張規格で圧縮されたロッシー音声信号をＩＩＳフォーマットで、４線からなるＩＩＳ伝送ラインＬ４中の特定の１線に出力する（ステップＳ５０）。これにより、拡張規格で圧縮されたロッシー音声信号が、ＭＰＥＧデコーダ１１から４線からなるＩＩＳ伝送ラインＬ４中の特定の１線を経由してＤＳＰ１２に供給され、ＤＳＰ１２によって７．１ｃｈのリニアＰＣＭ信号に変換され、その７．１ｃｈのリニアＰＣＭ信号がデジタルアンプ１６によって増幅され、さらに、デジタルアンプ１６内のＤＡＣで７．１ｃｈのアナログ音声信号に変換されるので、アナログ出力することが可能となる。
【００４０】
一方、ＨＤＭＩ機器が拡張規格で圧縮されたロッシー音声信号に対応している機器であれば（ステップＳ４０のＹＥＳ）、ＭＰＥＧデコーダ１１は、拡張規格で圧縮されたロッシー音声信号をＩＥＣ６０９５８に準拠したビットストリーム形式で、ＩＥＣ６０９５８伝送ラインＬ１に出力する（ステップＳ６０）。ＭＰＥＧデコーダ１１から出力される拡張規格で圧縮されたロッシー音声信号は、ＩＥＣ６０９５８伝送ラインＬ１、ＤＳＰ１２、ＩＥＣ６０９５８伝送ラインＬ３、及びＨＤＭＩトランスミッタ１３を経由してＨＤＭＩコネクタ１４からそのまま外部出力される。このとき、ＤＳＰ１２は、拡張規格で圧縮されたロッシー音声信号に含まれるレガシー音声信号に相当する部分のデコードを行う。すなわち、ＤＳＰ１２は、拡張規格で圧縮されたロッシー音声信号がＤＤ＋方式で圧縮された圧縮音声信号である場合、ＤＤ＋方式で圧縮された圧縮音声信号をＤＤ方式で圧縮された圧縮音声信号に変換し、ＩＥＣ６０９５８伝送ラインＬ２を経由してＳＰＤＩＦ端子１５に出力し、拡張規格で圧縮されたロッシー音声信号がDTS-HD HRA方式で圧縮された圧縮音声信号である場合、DTS-HD HRA方式で圧縮された圧縮音声信号のコアストリームを取り出し、そのコアストリームを、ＩＥＣ６０９５８伝送ラインＬ２を経由してＳＰＤＩＦ端子１５に出力する。
【００４１】
ここで、ステップＳ６０の処理を行う仕様とした理由について説明する。
【００４２】
ＤＳＰ１２は、拡張規格で圧縮されたロッシー音声信号がＩＥＣ６０９５８に準拠したビットストリーム形式である場合、拡張規格で圧縮されたロッシー音声信号に含まれるレガシー音声信号に相当する部分のデコードしか行えない。したがって、ＤＳＰ１２が、拡張規格で圧縮されたロッシー音声信号全体をデコードできるようにするためには、ＭＰＥＧデコーダ１１が、拡張規格で圧縮されたロッシー音声信号をＩＩＳフォーマットで出力しなければならない。すなわち、アナログ出力を可能とするためには、ＭＰＥＧデコーダ１１が、拡張規格で圧縮されたロッシー音声信号をＩＩＳフォーマットで出力する必要がある。
【００４３】
拡張規格で圧縮されたロッシー音声信号は、ロスレス音声信号に比べてデータ量が少ないため、ＩＩＳ伝送ラインの４線全てを用いて伝送するにはＭＰＥＧデコーダ１１の動作クロックの変更が必要となるが、ＭＰＥＧデコーダ１１の動作クロックの変更はできない。このため、ＭＰＥＧデコーダ１１が拡張規格で圧縮されたロッシー音声信号をＩＩＳフォーマットで出力する場合、４線からなるＩＩＳ伝送ラインＬ４中の特定の１線に出力することになる。一方、ＨＤＭＩトランスミッタ１３は、４線からなるＩＩＳ伝送ラインＬ５中の４線全てを用いて伝送されてきた信号は処理することができるが、４線からなるＩＩＳ伝送ラインＬ５中の特定の１線を用いて伝送されてきた信号を処理することはできない。すなわち、ＨＤＭＩコネクタ１４からの外部出力を可能とするためには、ＭＰＥＧデコーダ１１が、拡張規格で圧縮されたロッシー音声信号をＩＩＳフォーマットではなくＩＥＣ６０９５８に準拠したビットストリーム形式で出力する必要がある。
【００４４】
本発明に係るＢＤ再生装置からのアナログ出力を必要とする場合、拡張規格で圧縮されたロッシー音声信号に対応しているＨＤＭＩ機器を接続することは稀であると考えられる。このため、拡張規格で圧縮されたロッシー音声信号に対応しているＨＤＭＩ機器が接続されている場合は、ＨＤＭＩコネクタ１４からの外部出力を優先し、ステップＳ６０の処理を行うようにする。
【００４５】
本発明に係るＢＤ再生装置は、ＭＰＥＧ１１が上述した図２に示すフローチャートの動作を行うことにより、ＨＤＭＩ機器が接続されていない場合、及び、拡張規格で圧縮されたロッシー音声信号に対応していないＨＤＭＩ機器が接続されている場合のいずれにおいても、拡張規格で圧縮されたロッシー音声信号のアナログ出力が可能となっている。
【００４６】
上述した図２に示すフローチャートは、本発明に係るＢＤ再生装置からのアナログ出力を必要とする場合、拡張規格で圧縮されたロッシー音声信号に対応しているＨＤＭＩ機器を接続することは稀であるとの考えの下で決定した仕様である。しかしながら、本発明に係るＢＤ再生装置からのアナログ出力を必要とする場合に、拡張規格で圧縮されたロッシー音声信号に対応しているＨＤＭＩ機器を接続することは皆無であるとは言えないので、拡張規格で圧縮されたロッシー音声信号に対応しているＨＤＭＩ機器が接続されている場合にもユーザ設定に応じて本発明に係るＢＤ再生装置からのアナログ出力ができるように、ＭＰＥＧデコーダ１１が図２に示すフローチャートの動作の代わりに図３に示すフローチャートの動作を行うようにしてもよい。なお、図３において図２と同一のステップには同一の符号を付し説明を省略する。
【００４７】
図３に示すフローチャートは、図２に示すフローチャートにステップＳ５５とステップＳ６５とを追加したものである。
【００４８】
ステップＳ４０での判定の結果、ＨＤＭＩ機器が拡張規格で圧縮されたロッシー音声信号に対応している機器であれば（ステップＳ４０のＹＥＳ）、ＭＰＥＧデコーダ１１は、拡張規格で圧縮されたロッシー音声信号に対応しているＨＤＭＩ機器接続時のアナログ出力設定が有効であるか否かを判定する（ステップＳ５５）。拡張規格で圧縮されたロッシー音声信号に対応しているＨＤＭＩ機器接続時のアナログ出力設定を有効にするか無効にするかは、ユーザのリモコン操作によって予め決定されており、フラッシュメモリ１９に記憶されている。ＭＰＥＧデコーダ１１は、拡張規格で圧縮されたロッシー音声信号に対応しているＨＤＭＩ機器接続時のアナログ出力設定の内容を、システムコンとロータ１０を介して、フラッシュメモリ１９から読み出す。
【００４９】
拡張規格で圧縮されたロッシー音声信号に対応しているＨＤＭＩ機器接続時のアナログ出力設定が有効でなければ（ステップＳ５５のＮＯ）、ＭＰＥＧデコーダ１１は、拡張規格で圧縮されたロッシー音声信号をＩＥＣ６０９５８に準拠したビットストリーム形式で、ＩＥＣ６０９５８伝送ラインＬ１に出力する（ステップＳ６０）。ＭＰＥＧデコーダ１１から出力される拡張規格で圧縮されたロッシー音声信号は、ＩＥＣ６０９５８伝送ラインＬ１、ＤＳＰ１２、ＩＥＣ６０９５８伝送ラインＬ３、及びＨＤＭＩトランスミッタ１３を経由してＨＤＭＩコネクタ１４からそのまま外部出力される。このとき、ＤＳＰ１２は、拡張規格で圧縮されたロッシー音声信号に含まれるレガシー音声信号に相当する部分のデコードを行う。すなわち、ＤＳＰ１２は、拡張規格で圧縮されたロッシー音声信号がＤＤ＋方式で圧縮された圧縮音声信号である場合、ＤＤ＋方式で圧縮された圧縮音声信号をＤＤ方式で圧縮された圧縮音声信号に変換し、ＩＥＣ６０９５８伝送ラインＬ２を経由してＳＰＤＩＦ端子１５に出力し、拡張規格で圧縮されたロッシー音声信号がDTS-HD HRA方式で圧縮された圧縮音声信号である場合、DTS-HD HRA方式で圧縮された圧縮音声信号のコアストリームを取り出し、そのコアストリームを、ＩＥＣ６０９５８伝送ラインＬ２を経由してＳＰＤＩＦ端子１５に出力する。
【００５０】
一方、拡張規格で圧縮されたロッシー音声信号に対応しているＨＤＭＩ機器接続時のアナログ出力設定が有効であれば（ステップＳ５５のＹＥＳ）、ＭＰＥＧデコーダ１１は、拡張規格で圧縮されたロッシー音声信号をＩＩＳフォーマットで、４線からなるＩＩＳ伝送ラインＬ４中の特定の１線に出力する（ステップＳ６５）。これにより、拡張規格で圧縮されたロッシー音声信号が、ＭＰＥＧデコーダ１１から４線からなるＩＩＳ伝送ラインＬ４中の特定の１線を経由してＤＳＰ１２に供給され、ＤＳＰ１２によって７．１ｃｈのリニアＰＣＭ信号に変換され、その７．１ｃｈのリニアＰＣＭ信号がデジタルアンプ１６によって増幅され、さらに、デジタルアンプ１６内のＤＡＣで７．１ｃｈのアナログ音声信号に変換されるので、アナログ出力することが可能となる。
【００５１】
本発明に係るＢＤ再生装置は、ＭＰＥＧ１１が上述した図３に示すフローチャートの動作を行うことにより、ＨＤＭＩ機器が接続されていない場合、拡張規格で圧縮されたロッシー音声信号に対応していないＨＤＭＩ機器が接続されている場合、及び拡張規格で圧縮されたロッシー音声信号に対応しているＨＤＭＩ機器が接続されていて且つ拡張規格で圧縮されたロッシー音声信号に対応しているＨＤＭＩ機器接続時のアナログ出力設定が有効である場合のいずれにおいても、拡張規格で圧縮されたロッシー音声信号のアナログ出力が可能となっている。
【００５２】
なお、図２に示すフローチャートの動作、或いは、図３に示すフローチャートの動作はＭＰＥＧデコーダのソフトウェア部分で対応できるため、ＭＰＥＧデコーダ及びＤＰＳのハードウェア部分は従来のものをそのまま利用することができる。
【００５３】
また、図２に示すフローチャート又は図３に示すフローチャートにおいて、ステップＳ１０、ステップＳ３０、及びステップＳ４０の動作主体を、ＭＰＥＧデコーダ１１ではなく、システムコントローラ１０に変更し、システムコントローラ１０がステップＳ１０及びステップＳ４０の判定結果をＭＰＥＧデコーダ１１に送るようにしても同様の効果を得ることができる。
【００５４】
また、デジタルアンプ１２の代わりに、ＤＡＣ単体を設けても構わない。
【００５５】
また、本発明に係る音声信号出力装置は、ＢＤ再生装置に限定されることはなく、例えばＢＤ記録再生装置なども含まれる。
【符号の説明】
【００５６】
１  スピンドルモータ
２  光ピックアップ
３  スレッドモータ
４  ＬＤドライバ
５  ＲＦ信号処理部
６  エラー信号生成部
７  サーボ処理部
８  アクチュエータドライバ
９  スレッドドライバ
１０  システムコントローラ
１１、１０１  ＭＰＥＧデコーダ
１２、１０２  ＤＳＰ
１３、１０３  ＨＤＭＩトランスミッタ
１４、１０４  ＨＤＭＩコネクタ
１５、１０５  ＳＰＤＩＦコネクタ
１６、１０６  デジタルアンプ
１７、１０７  アナログ出力端子群
１８  リモコン受信部
１９  フラッシュメモリ
Ｌ１〜Ｌ３、Ｌ１０１〜Ｌ１０３    ＩＥＣ６０９５８伝送ライン
Ｌ４、Ｌ５、Ｌ１０４、Ｌ１０５    ＩＩＳ伝送ライン
【図１】
2010161440.tif 000003
【図２】
2010161440.tif 000004
【図３】
2010161440.tif 000005
【図４】
2010161440.tif 000006